(57)【要約】【課題】同一媒体に対する再印刷を実行する技術を提供する。【解決手段】印刷装置は、記録媒体に印刷する印刷手段と、印刷対象となる印刷データを記憶する記憶手段と、記憶手段に記憶された印刷データを取得し、当該印刷データに基づき印刷手段を制御する制御手段と、を有する印刷装置であって、制御手段は、印刷手段による画像形成の完了後、規定の状態となるまでは、記憶手段に記憶された印刷データを削除せず、規定の状態となる前に再印刷の要求があった場合、印刷データを記憶手段から取得して再印刷を実行する、ことを特徴とする。【選択図】図７
2020146926.tif 000002
【特許請求の範囲】
【請求項１】
記録媒体に印刷する印刷手段と、
印刷対象となる印刷データを記憶する記憶手段と、
前記記憶手段に記憶された印刷データを取得し、当該印刷データに基づき前記印刷手段を制御する制御手段と、
を有する印刷装置であって、
前記制御手段は、
前記印刷手段による画像形成の完了後、規定の状態となるまでは、前記記憶手段に記憶された前記印刷データを削除せず、前記規定の状態となる前に再印刷の要求があった場合、前記印刷データを前記記憶手段から取得して再印刷を実行する、
ことを特徴とする印刷装置。
【請求項２】
請求項１に記載の印刷装置において、
前記制御手段は、規定の待ち時間が経過した後、または前記印刷データとは異なる他の印刷要求を受け付けた後に、前記記憶手段に記憶された前記印刷データを削除する、
ことを特徴とする印刷装置。
【請求項３】
請求項１に記載の印刷装置において、
前記制御手段は、規定の待ち時間が経過した後、または記録媒体固定手段の変更を検出した後に、前記記憶手段に記憶された前記印刷データを削除する、
ことを特徴とする印刷装置。
【請求項４】
請求項１乃至３のいずれか１項に記載の印刷装置において、
前記制御手段は、前記印刷手段が画像形成を行っている最中に中断指示またはエラーが発生した場合、前記記憶手段に、いずれの位置まで画像形成を行ったかをあらわす情報を記憶させ、前記再印刷の要求があった場合、当該記憶された情報に基づき中断位置から再印刷を行うか、または全体の再印刷を行うかのいずれかを行うように前記印刷手段を制御する、
ことを特徴とする印刷装置。
【請求項５】
請求項４に記載の印刷装置において、
利用者に情報を提示し、利用者からの入力情報を受け付ける表示操作手段を有し、
前記制御手段は、前記再印刷を行うか否かを問い合わせるメッセージを前記表示操作手段に表示させ、再印刷の指示を前記表示操作手段が受け付けると、前記中断位置から再印刷を行うか、または全体の再印刷を行うかを問い合わせるメッセージを前記表示操作手段に表示させる、
ことを特徴とする印刷装置。
【請求項６】
請求項１乃至５のいずれか１項に記載の印刷装置において、
さらに、記録媒体の画像形成領域を表面に露出した状態で、当該記録媒体を固定する記録媒体固定手段を有し、
前記印刷手段は、前記記録媒体固定手段により固定されている前記記録媒体の前記画像形成領域に印刷する、
ことを特徴とする印刷装置。
【請求項７】
記録媒体に印刷する印刷手段と、
印刷対象となる印刷データを記憶する記憶手段と、
を有し、前記記憶手段に記憶された印刷データを取得し、当該印刷データに基づき画像形成を行う印刷装置の印刷方法であって、
前記印刷装置は、
前記印刷手段による画像形成の完了後、規定の状態となるまでは、前記記憶手段に記憶された前記印刷データを削除せず、前記規定の状態となる前に再印刷の要求があった場合、前記印刷データを前記記憶手段から取得して再印刷する、
ことを特徴とする印刷方法。
【請求項８】
記録媒体に印刷する印刷手段と、
印刷対象となる印刷データを記憶する記憶手段と、
を有し、前記記憶手段に記憶された印刷データを取得し、当該印刷データに基づき画像形成を行う印刷装置に実行させるための印刷プログラムであって、
前記印刷手段による画像形成の完了後、規定の状態となるまでは、前記記憶手段に記憶された前記印刷データを削除せず、前記規定の状態となる前に再印刷の要求があった場合、前記印刷データを前記記憶手段から取得して再印刷する、
処理を前記印刷装置に実行させるための印刷プログラム。
【発明の詳細な説明】
【技術分野】
【０００１】
本発明は、印刷装置、画像形成方法、画像形成プログラムに関する。
【背景技術】
【０００２】
衣服やカバンなどに画像を形成するガーメントプリンタ（印刷装置）など、大量生産には向かないが、比較的小規模で安価な装置を用いることで少数多品種の図柄を直接布に印刷するプリンタが既に知られている。
【０００３】
また、Ｔシャツなどへの印刷において、複数の媒体で同一の印刷の仕上がりを得る目的で、ある媒体の印刷結果をもとに、別の印刷媒体に対し印刷制御や画像補正方法を変更し再印刷する方法が知られている（例えば特許文献１）。
【発明の概要】
【発明が解決しようとする課題】
【０００４】
エラーや利用者の指示などにより印刷が途中で中断した場合、従来のプリンタの再印刷機能は、これまで印刷処理を行っていた記録媒体に対する再度の印刷を行うことができない。特に、衣服やカバンなどは紙媒体などに比べて高価であるため、途中で中断した記録媒体が無駄になるのを回避したいとのニーズがある。
【０００５】
また、テスト印刷を繰り返し行って好適な印刷パラメータとなるように調整した後、製品となる媒体に対し本印刷を行うことがある。テスト印刷の際には安価な記録媒体を用いる場合もあるが、同一媒体に対して再印刷を行える方がコストの面などで都合がよい。
【０００６】
特許文献１の技術においても、上記の同一媒体の印刷補正のための再印刷できないという問題は解消できていない。
【０００７】
本発明は、同一媒体に対する再印刷を実行する技術を提供することを目的とする。
【課題を解決するための手段】
【０００８】
上記課題を解決するために、本発明の印刷装置は、記録媒体に印刷する印刷手段と、印刷対象となる印刷データを記憶する記憶手段と、記憶手段に記憶された印刷データを取得し、当該印刷データに基づき印刷手段を制御する制御手段と、を有する印刷装置であって、制御手段は、印刷手段による画像形成の完了後、規定の状態となるまでは、記憶手段に記憶された印刷データを削除せず、規定の状態となる前に再印刷の要求があった場合、印刷データを記憶手段から取得して再印刷を実行する、ことを特徴とする。
【発明の効果】
【０００９】
本発明によれば、同一媒体に対する再印刷を実行する技術を提供することができる。
【図面の簡単な説明】
【００１０】
【図１】実施形態の印刷装置の外観を示す斜視図である。
【図２】実施形態のカセットの外観を示す斜視図である。
【図３】実施形態のカセットの断面図である。
【図４】実施形態の印刷装置の構成を説明するための図である。
【図５】実施形態の印刷装置の内部構成を例示するブロック図である。
【図６】実施形態の印刷装置の機能ブロック図である。
【図７】実施形態の動作例を示すアクティビティ図である。
【図８】実施形態の動作例を示すアクティビティ図である。
【図９】実施形態の動作例を示すアクティビティ図である。
【図１０】実施形態の表示画面を例示する図である。
【発明を実施するための形態】
【００１１】
以下、本実施形態に係る印刷装置、印刷方法、印刷プログラムについて説明する。本実施形態では、専用のカセットに記録媒体を配置し、そのカセットを印刷装置にセットし、カセットを前後方向に移動することで印刷を行う。利用者は、印刷結果を、記録媒体がカセットに固定・セットされた状態で確認することができ、必要に応じて再印刷を実行できることが特徴になっている。
【００１２】
図１は、本実施形態の印刷装置を示す斜視図であり、カセットが本体部から取り外された状態を示している。
【００１３】
印刷装置１０００は、布等の記録媒体（後述の記録媒体４００）に印刷可能なガーメントプリンタであり、着脱可能なカセット２００に設置された記録媒体に対して画像を形成する。本実施形態では、記録媒体として布地を用いた場合を想定して説明するが、ハンカチ、タオルなどの一枚の布地で形成されるものだけではなく、Ｔシャツ、トレーナーなどの衣服として加工された布地、トートバック等の製品の一部となっているものにも用いることができる。また、布以外にもシート状のものであれば記録媒体として本実施形態の態様を適用することができる。
【００１４】
カセット２００が印刷装置１０００の本体部に挿入され、副走査方向（図１のＹ軸方向）に移動することで、印刷装置１０００は、プラテン３００にセットされた記録媒体に対し印刷を行う。
【００１５】
次にカセット２００の構成について説明する。図２（Ａ）はカセット２００のカバー２０２が閉じた状態、図２（Ｂ）はカバー２０２が開いた状態をそれぞれ示す斜視図である。また図３はカセット２００の断面図である。
【００１６】
カセット２００は、印刷装置１０００の本体から着脱可能な外装となっており、またプラテン３００を備えている。カセット２００のカバー２０２は、ヒンジ２０３を介してカセットベース２０１と連結しており、利用者がロック２０４を解除して図２（Ｂ）に示す矢印Ａの方向にカバー２０２を回動させることで、カセット２００が開き状態となる。
【００１７】
プラテン３００は板状部材であり、図３に示す支柱ベース２３１、支柱カバー３３１、スプリング３３２により構成される支柱３１１によって支持されている。またプラテン３００は、支柱３１１によって上方（カセットベース２０１から離間する方向、Ｚ軸方向）に付勢されている。
【００１８】
利用者は、シワを取り除くように張りながら、記録媒体４００をプラテン３００上にセットして、カバー２０２を閉じ状態にする。カバー２０２が閉じ状態になると、プラテン３００上にセットされた記録媒体４００は、プラテン３００の外周とカバー２０２とで挟み込まれ、シワの発生を抑制した状態で保持される。利用者は、このように記録媒体４００をセットした後、カセット２００を印刷装置１０００の本体部１１００に挿入する。
【００１９】
カセット２００は、記録媒体４００の特定領域（画像形成領域）を表面に露出した状態で、記録媒体４００を固定する記録媒体固定手段として機能し、記録媒体４００の当該領域に画像が形成される。このように表面に露出した領域に印刷されることから、記録媒体上に形成された画像の仕上がり具合を、カセット２００にセットした状態のままで確認することができる。
【００２０】
つぎに、印刷装置１０００の詳細構成について説明する。図４（Ａ）、（Ｂ）は、印刷装置１０００の構成を説明するための図であり、それぞれ異なる方向から見た場合の斜視図である。尚、図４では、印刷装置１０００とは異なる機種のガーメントプリンタを参考図として用いているが、各ユニットの機能や用途、動作などについては同じであることから、図４に示す装置を本実施形態の印刷装置１０００として扱って説明を行う。
【００２１】
印刷装置１０００は、本体部１１００内に、記録媒体４００を保持するカセット２００を着脱可能に保持して進退移動する受け部材であるステージ１１１と、カセット２００のプラテン３００の上に保持されている記録媒体４００に印刷する印刷手段１１２とを備えている。
【００２２】
ステージ１１１は、本体部１１００に対して矢印Ａ方向（副走査方向）に移動可能に保持された搬送構造体１１３の上に設けられている。ここでは、本体部１１００の底部筐体部１１４に矢印Ａ方向に沿って搬送ガイド部材１１５が配置され、搬送構造体１１３のスライダ部１１６が搬送ガイド部材１１５によって移動可能に保持されている。
【００２３】
印刷手段１１２は、ステージ１１１に対して矢印Ｂ方向（主走査方向）に移動するキャリッジ１２１と、キャリッジ１２１に搭載された記録ヘッド１１０２とを備えている。キャリッジ１２１は、矢印Ｂ方向に沿って配置されたガイド部材１２３で移動可能に保持され、駆動モータ１２４によってタイミングベルト１２５などの走査機構部を介して矢印Ｂ方向に往復移動される。記録ヘッド１１０２は液体吐出ヘッドを用いて、インクを布地表面に吐出して画像の形成を行っているが、これに限るものではない。
【００２４】
この印刷装置１０００においては、カセット２００に記録媒体４００をセットした状態で、装置本体内のステージ１１１にカセット２００を装着して保持する。そして、ステージ１１１の矢印Ａ方向への移動と記録ヘッド１１０２の矢印Ｂ方向への往復移動を繰り返すことで、記録媒体４００に所要の画像を印刷する。
【００２５】
引き続き、印刷装置１０００の動作制御に関して説明する。図５は、印刷装置１０００の内部構成を示すブロック図である。
【００２６】
制御部５００は、印刷装置１０００の装置全体の制御を司る、記録媒体の搬送動作及び記録ヘッド１１０２の移動動作に関する制御を司る手段を兼ねたＣＰＵ５１２と、ＣＰＵ５１２が実行するプログラム、その他の固定データを格納するＲＯＭ５１３を有する。制御部５００は、画像データ等を一時格納するＲＡＭ５１４と、装置の電源が遮断されている間もデータを保持するための書き換え可能な不揮発性メモリであるＮＶＲＡＭ５１５と、画像データに対する各種信号処理、並び替えなどを行う画像処理やその他装置全体を制御するための入出力信号を処理するＡＳＩＣ５１６を有する。
【００２７】
制御部５００は、外部のパーソナルコンピュータのプリンタドライバ５０１とデータや信号の送受を行うための外部Ｉ／Ｆ５１１を有する。尚、イメージスキャナなどの画像読み取り装置、デジタルカメラなどの撮像装置などと接続し、データの送受信を行ってもよい。制御部５００は、記録ヘッド１１０２を駆動するための駆動波形を生成するとともに、記録ヘッド１１０２の圧力発生手段を選択駆動させる画像データ及びそれに伴う各種データをヘッドドライバ５４１に出力するヘッド制御部５２１を有し、また主走査モータ５４２を駆動するための主走査モータ駆動部５２２を有する。
【００２８】
制御部５００は、副走査モータを駆動するための副走査モータ駆動部５２４を有する。制御部５００は、リニアエンコーダ５４３、ホイールエンコーダ５４５からの検出パルス、及びその他の各種センサ（レジストセンサ５５３、カセット検知センサ５３１）からの検知信号を入力するためのＩ／Ｏ５１７を有する。また、制御部５００には、利用者に情報を提示し、利用者からの入力情報を受け付ける表示操作手段として、操作パネル５３０が接続されている。
【００２９】
また、キャリッジ１２１に搭載したレジストセンサ５５３では、記録媒体４００のセンシングを行い、記録媒体４００の有無を検出する。
【００３０】
上記構成を有する印刷装置１０００の印刷動作について説明する。
【００３１】
制御部５００は、パーソナルコンピュータなどが生成した印刷データやパラメータを、ネットワークを介して外部Ｉ／Ｆ５１１で受信する。
【００３２】
そして制御部５００のＣＰＵ５１２は、外部Ｉ／Ｆ５１１に含まれる受信バッファ内の印刷データを読み出して解析し、ＡＳＩＣ５１６が必要な画像処理、データの並び替え処理等を行う。これら各処理が施された画像データは、ヘッド制御部５２１に転送され、ヘッド制御部５２１から所要のタイミングでヘッドドライバ５４１に画像データや駆動波形を出力する。
【００３３】
ヘッド制御部５２１は、ＲＯＭ５１３に格納されてＣＰＵ５１２で読み出される駆動パルスのパターンデータをＤ／Ａ変換するＤ／Ａ変換器及び増幅器等を含み、１つの駆動パルス或いは複数の駆動パルスで構成される駆動波形を、ヘッドドライバ５４１に対して出力する。
【００３４】
ヘッドドライバ５４１は、記録ヘッド１１０２の１行分に相当する画像データに基づいて、駆動パルスを選択的に記録ヘッド１１０２の圧力発生手段に対して印加する。ヘッドドライバ５４１は、例えばクロック信号及び画像データであるシリアルデータを入力するシフトレジスタと、シフトレジスタのレジスト値をラッチ信号でラッチするラッチ回路と、ラッチ回路の出力値をレベル変換するレベル変換回路と、このレベル変換回路によりオン／オフが制御されるアナログスイッチアレイなどを含み、アナログスイッチアレイのオン／オフを制御することで、駆動波形に含まれる所要の駆動パルスを選択的に記録ヘッド１１０２の圧力発生手段に印加する。これらの動作により、記録ヘッド１１０２がインク滴を吐出し、記録媒体４００上に画像が形成される。
【００３５】
図６は、本実施形態における印刷装置１０００のソフトウェア機能を例示するブロック図である。
【００３６】
端末から送信された、印刷対象となる印刷データ６５１は外部Ｉ／Ｆ５１１を介して印刷装置１０００内部のＲＡＭ５１４または外部メモリ６０２（記憶手段）などの記憶領域に保存される。外部メモリ６０２は、例えば外付けのハードディスクドライブや、ＵＳＢメモリ、フラッシュメモリなどである。
【００３７】
印刷制御に関して、まずデータ解析部６３１により、受信、保存された印刷データ６５１を解析し、１スキャン単位のデータとして受信バッファ６３５に一時的にデータを格納し、ヘッド制御部５２１にてヘッドドライバ５４１に送信するデータに変換され、インク吐出が行われる。
【００３８】
この受信バッファ６３５は、例えばリンクバッファで構成されており、印刷済みのスキャンデータは破棄されて次のスキャンデータを順次受付・格納していく。また、印刷時の制御として、印刷中のジョブキャンセル操作や印刷エラーにより印刷が中断された場合に備え、現在印刷中のデータが何スキャン目のデータであるかを、画像中断位置情報６１２として保存する。
【００３９】
再印刷用の印刷データの保存及び削除は、印刷データ管理部６３６により行われる。印刷データ管理部６３６は、再印刷の要否判断結果（後述の再印刷有無判定情報６１１）に基づき、再印刷不要と判断した場合に印刷データ６５１を削除する。
【００４０】
パネル表示制御部６４１は、操作パネル５３０が再印刷メニューを表示するための制御を行い、また利用者から入力される、所定の再印刷指示の受け付けを行う。ここで本メニュー表示に関しては、例えば、印刷が正常終了しなかった場合や、利用者によりカセットの取り外し操作が行われ出力画像確認が行われた後など、特に利用者に再印刷の確認を求める場合に表示制御を行うものとしてもよい。
【００４１】
再印刷有無判定情報６１１は、後述の再印刷指示を受け付けた場合に所定値が記録されるフラグデータである。印刷位置制御部６３３は、再印刷有無判定情報６１１を参照することで再印刷を行うかを判定し、再印刷を行う場合、主走査モータ駆動部５２２、副走査モータ駆動部５２４を制御して、画像中断位置情報６１２に示されている位置まで記録ヘッド１１０２を移動させる。また再印刷を行う場合、データ解析部６３１は、画像中断位置情報６１２に示されている位置（ライン）を取得して、印刷データ６５１から、当該位置に応じた１スキャンのデータを抽出して受信バッファ６３５に格納する。これにより、中断したラインからの印刷が開始される。
【００４２】
尚、Ｉ／Ｏ５１７を介して接続カセット情報６２１が入力される。接続カセット情報６２１は、例えばカセット２００の着脱操作の検出情報やカセット２００の固有識別情報などである。また、レジストセンサ５５３から、記録媒体４００がカセット２００に設置されているか否かの検出情報であるレジストセンサ検出情報６２２がＩ／Ｏ５１７を介して入力される。
【００４３】
本実施形態における再印刷の処理の一例について説明する。図７は、再印刷実行フローについて説明する図（アクティビティ図）である。本実施形態では、印刷完了後にパネル操作から再印刷実行を可能とする。再印刷要求がない場合、本実施形態では、一定時間経過後、または現在処理中の印刷データとは異なる他の印刷ジョブを受信した後に、印刷データを削除する。
【００４４】
印刷制御部６０１（制御手段）は、画像形成対象の印刷データとともに印刷要求を端末（パーソナルコンピュータ）から受信すると（Ｓ７０１）、この印刷データを印刷装置内部のＲＡＭ５１４または外部メモリ６０２などに保存する（Ｓ７０２）。ここでは外部メモリ６０２に印刷データ６５１として記憶されるものとする。その後、印刷制御部６０１は印刷手段１１２を制御することで、印刷を行う（Ｓ７０３）。
【００４５】
印刷完了後は、先ほど実施した印刷についての再印刷が実行可能な状態となり、この間に操作パネル５３０が再印刷指示を受け付けると（Ｓ７１１）、印刷制御部６０１は、外部メモリ６０２に保存しておいた印刷データ６５１を改めて読み出し（Ｓ７１２）、再印刷を実行する（７１３）。
【００４６】
一方、印刷制御部６０１は、印刷終了後から時間を計時し（Ｓ７０４）、当該経過時間（待ち時間）が規定秒数を超えたかを確認する（Ｓ７０５）。ここで、規定秒数内にパネル操作があり、再印刷指示を受け付けた場合、上記Ｓ７１１〜Ｓ７１３の動作となる。一方、規定秒数経過した場合、印刷制御部６０１は、外部メモリ６０２に保存している印刷データ６５１を削除する（Ｓ７０６）。または、現在処理中の印刷データとは異なる他の印刷要求のジョブを受信した場合も、印刷制御部６０１は再印刷の実行が不要と判断し、これまで保存していた印刷データ６５１を削除する（Ｓ７０６）。
【００４７】
また、図８に示すように、再印刷指示の待ち状態中に記録媒体４００の変更（カセット２００の変更）を検出した場合も、印刷制御部６０１は、再印刷の実行が不要と判断して前回の印刷データ６５１を削除する。印刷媒体変更の検出は、例えば、カセットが前回のカセット２００とは異なるカセットに変更されたかを判定することで行われる。この場合、各カセット２００の側面に固有識別情報を記録したバーコードなど貼り付けておき、装置の本体部１１００側に、バーコードなどの固有識別情報をスキャンして読み取る読取り装置を取り付けておく。
【００４８】
つぎに、印刷中断の操作があった場合の動作例について図９を参照しつつ説明する。印刷中断ありと検出した場合は、再印刷時を促す通知を行い、再印刷方法を選択させて当該方法に従い実行を可能とする。
【００４９】
図９の例においても、上記と同様手順にて印刷が行われるが（Ｓ７０１〜Ｓ７０３）、ここで印刷中に中断指示を受け付けたり、印刷エラーにより印刷が中断したりする場合、印刷制御部６０１は、印刷中断位置を画像中断位置情報６１２としてＮＶＲＡＭ５１５に保存し（Ｓ９０１）、操作パネル５３０に再印刷を促すメッセージを表示させる（Ｓ９０２）。この際、操作パネル５３０は印刷中断理由を表示してもよい。
【００５０】
利用者のパネル操作により再印刷指示を受け付けた場合（Ｓ７１１）、印刷制御部６０１は、メモリに保存しておいた印刷データ６５１を改めて読み出し（Ｓ７１１）、再印刷を行う（Ｓ７１３）。印刷が正常に終了した場合や、操作パネルから再印刷指示が無かった場合、印刷制御部６０１は、再印刷の実行が不要と判断して印刷データ６５１を削除する（Ｓ７０６）。尚、印刷が正常に終了した場合は、印刷制御部６０１は、図７や図８に示すプロセスＰ１以降の処理を行ってもよい。
【００５１】
図１０は、上記のＳ９０２における操作パネル５３０の表示例を示す図である。図１０（Ａ）は、再印刷実行の要否を確認するための画面であり、図１０（Ｂ）は、再印刷実行を受け付けた後の範囲指定を受け付けるための画面である。図１０（Ｃ）は、再印刷実行が選択されなかった場合の画面である。
【００５２】
本実施形態では、中断指示による印刷キャンセルや印刷エラーで印刷が正常終了しなかった場合、図１０（Ａ）の画面を表示して利用者へ再印刷を実行するかどうかの確認を行う。図１０（Ａ）の画面で再印刷実行：Ｙｅｓが選択された場合、印刷制御部６０１は、再印刷有無判定情報６１１に所定値を書き込み、また操作パネル５３０に図１０（Ｂ）の画面を表示させる。利用者は、カセット２００に設置された記録媒体４００を確認し、印刷そのものをやり直して上塗りを実施したい場合には領域全体の再印刷を指示する。一方、中断位置からの印刷のみをやり直したい場合には中断位置からの再印刷を指示する。
【００５３】
尚、中断位置からの再印刷指示を受け付けると、印刷制御部６０１は、ＮＶＲＡＭ５１５から画像中断位置情報６１２を参照して中断位置を取得し、印刷位置制御部６３３を動作させて当該位置に記録ヘッド１１０２を移動させる。これにより、中断位置からの再印刷が行われる。
【００５４】
図１０（Ａ）の画面で再印刷実行：Ｎｏが選択された場合、操作パネル５３０は図１０（Ｃ）の画面を表示して、印刷終了の通知を行う。
【００５５】
本実施形態では、上記のようにカセット２００の上面に記録媒体４００の面が露出しているため、記録媒体４００をカセット２００から取り外すことなく、画像形成の仕上がり具合を確認することができる。
【００５６】
また本実施形態の印刷装置は、印刷後に印刷データを即時削除せず、規定時間の経過、次回のジョブの投入、カセット変更などの規定の状態となるまで、画像形成後の印刷データを保持し続ける。この間に、利用者は印刷の仕上がり具合を確認することができる。また、印刷状態が薄いなど画像形成後の状態が想定と異なる場合は、パラメータの調整を行う機会を利用者に提供することができ、また同一媒体に対して再印刷を行う機会を提供することができる。
【００５７】
エラーや利用者の指示などにより途中で印刷処理が中断した場合、本実施形態により、同一媒体に対して再印刷を行うことができる。またこの際、画像全体を上塗りして再印刷するか、もしくは中断した位置から再印刷するかを選択させることができる。
【００５８】
本実施形態により、同一媒体に対する再印刷を実行することができる。
【符号の説明】
【００５９】
１１２：印刷手段
１１３：搬送構造体
１１４：底部筐体部
１１５：搬送ガイド部材
１１６：スライダ部
１２１：キャリッジ
１２３：ガイド部材
１２４：駆動モータ
１２５：タイミングベルト
２００：カセット
２０１：カセットベース
２０２：カバー
２０３：ヒンジ
２０４：ロック
２３１：支柱ベース
３００：プラテン
３１１：支柱
３３１：支柱カバー
３３２：スプリング
４００：記録媒体
５００：制御部
５０１：プリンタドライバ
５１１：外部Ｉ／Ｆ
５２１：ヘッド制御部
５２２：主走査モータ駆動部
５２４：副走査モータ駆動部
５３０：操作パネル
５３１：カセット検知センサ
５４１：ヘッドドライバ
５４２：主走査モータ
５４３：リニアエンコーダ
５４５：ホイールエンコーダ
５５３：レジストセンサ
６０１：印刷制御部
６０２：外部メモリ
６１１：再印刷有無判定情報
６１２：画像中断位置情報
６２１：接続カセット情報
６２２：レジストセンサ検出情報
６３１：データ解析部
６３３：印刷位置制御部
６３５：受信バッファ
６３６：印刷データ管理部
６４１：パネル表示制御部
６５１：印刷データ
１０００：印刷装置
１１００：本体部
１１０２：記録ヘッド
【先行技術文献】
【特許文献】
【００６０】
【特許文献１】特開２０１７‐１５９５２７号公報
【図１】
2020146926.tif 000003
【図２】
2020146926.tif 000004
【図３】
2020146926.tif 000005
【図４】
2020146926.tif 000006
【図５】
2020146926.tif 000007
【図６】
2020146926.tif 000008
【図７】
2020146926.tif 000009
【図８】
2020146926.tif 000010
【図９】
2020146926.tif 000011
【図１０】
2020146926.tif 000012